(57)【要約】【課題】財布、ハンドバッグ、スクールバッグ、ポシェット等の鞄類または袋物の被せ蓋の表面側、収納部の正面部、或いは、表面側収納部形成部の表面に、消費者自身が自分の好みの装飾部品を取付け独自の装飾を施すことができる装飾可能な鞄類または袋物を提供する。【解決手段】正面部と背面部と収納部と被せ蓋とを有する財布、或いは、正面部と背面部と内部側収納部を有し表面側収納部形成部を備えるスクールバッグであって、前記被せ蓋の表面側、前記正面部、前記表面側収納部形成部の表面の任意の箇所に、装飾部品を取付け可能かつ所定表面積を有する金属製または樹脂製の装飾用プレートを、適宜の取付け手段にて取付け固定した。【選択図】図１
0003146379.tif 000002
【実用新案登録請求の範囲】
【請求項１】
正面部と背面部と内部に形成された収納部と該収納部の開口部もしくは開口可能部を覆う被せ蓋とを有する鞄類または袋物であって、前記被せ蓋の表面側または前記正面部の任意の箇所に、装飾部品を取付け可能かつ所定表面積を有する装飾用プレートを適宜の取付け手段にて取付け固定したことを特徴とする装飾可能な鞄類または袋物。
【請求項２】
正面部と背面部と内部に形成された内部側収納部を有し、前記正面部または前記背面部上に形成された表面側収納部形成部とを備える鞄類または袋物であって、前記正面部、前記背面部または表面側収納部形成部の表面の任意の箇所に、装飾部品を取付け可能かつ所定表面積を有する装飾用プレートを適宜の取付け手段にて取付け固定したことを特徴とする装飾可能な鞄類または袋物。
【請求項３】
前記鞄類または袋物は、財布、ハンドバッグ、スクールバッグ、携帯電話ケース、ポシェットまたは小物入れである請求項１または２に記載の装飾可能な鞄類または袋物。
【請求項４】
前記装飾用プレートは、金属製プレートまたは樹脂製プレートである請求項１ないし３のいずれかに記載の装飾可能な鞄類または袋物。
【請求項５】
前記金属製プレートは、鉄製プレート、ステンレス鋼製プレート、表面発色処理ステンレス鋼製プレート、アルミもしくはアルミ合金製プレートまたは金属板の表面メッキ処理プレートである請求項４に記載の装飾可能な鞄類または袋物。
【請求項６】
前記樹脂製プレートは、アクリル樹脂製プレート、ポリカーボネートプレートまたはスチレン系樹脂製プレートである請求項４に記載の装飾可能な鞄類または袋物。
【請求項７】
前記装飾用プレートは、表面が鏡面加工されている請求項１ないし６のいずれかに記載の装飾可能な鞄類または袋物。
【請求項８】
前記装飾用プレートは、ハート形、矩形、円形、または、楕円形のいずれかの形状となっている請求項１ないし７のいずれかに記載の装飾可能な鞄類または袋物。
【請求項９】
前記装飾部品は、ガラス、アルミ、金属もしくは合成樹脂により形成され、貼着用平面部を有する小さな装飾部品であり、前記装飾用プレートの表面は、前記装飾部品の前記平面部を貼着するための平滑面となっている請求項１ないし８のいずれかに記載の装飾可能な鞄類または袋物。
【請求項１０】
前記装飾用プレートは、複数の取付け孔を備え、前記鞄類または袋物は、前記装飾用プレートの取付け位置に、前記装飾用プレートに設けた取付け孔と合致する複数の穿孔を備え、複数の固定用金具が前記装飾用プレートの裏側より前記鞄類または袋物の前記穿孔および前記装飾用プレートの取付け孔を挿通し、前記装飾用プレートに固定されることにより、前記装飾用プレートが固定されているものである請求項１ないし９のいずれかに記載の装飾可能な鞄類または袋物。     
【請求項１１】
前記装飾用プレートは、裏面に形成された折り曲げ可能な複数の係止用突片を備え、前記鞄類または袋物は、前記装飾用プレートの取付け位置に、前記装飾用プレートの前記複数の係止用突片が挿通可能な複数の挿通孔を備え、前記装飾用プレートは、前記複数の係止用突片が前記複数の挿通孔を挿通した状態にて折り曲げられることにより固定されているものである請求項１ないし９のいずれかに記載の装飾可能な鞄類または袋物。  
【請求項１２】
前記装飾用プレートは、裏面に形成された折り曲げ可能な複数の係止用突片を備え、前記鞄類または袋物は、前記装飾用プレートの取付け位置に、前記装飾用プレートの前記複数の係止用突片が挿通可能な複数の挿通孔と、前記装飾用プレートの前記係止用突片が挿通可能な複数の挿通孔を有する押さえ板とを備え、前記装飾用プレートは、前記複数の係止用突片が前記鞄類または袋物の前記複数の挿通孔を挿通し、さらに、前記押さえ板の複数の係止用突片が前記複数の挿通孔を挿通した状態にて折り曲げられることにより固定されているものである請求項１ないし９のいずれかに記載の装飾可能な鞄類または袋物。
【請求項１３】
前記装飾部品は、ガラス、アルミ、金属もしくは合成樹脂で作製された星型、花型、ハート型、球型もしくは半球型のものである請求項１ないし９のいずれかに記載の装飾可能な鞄類または袋物。
【請求項１４】
前記装飾用プレートの表面は、前記装飾部品の裏面に設けられた粘着層に対して良粘着表面となっている請求項１ないし１２のいずれかに記載の装飾可能な鞄類または袋物。
【請求項１５】
前記装飾用プレートの表面は、前記装飾部品の裏面に貼着された両面接着テープに対して良粘着表面となっている請求項１ないし１３のいずれかに記載の装飾可能な鞄類または袋物。
【請求項１６】
正面部と背面部と内部に形成された収納部と該収納部の開口部もしくは開口可能部を覆う被せ蓋とを有する鞄類または袋物であって、前記被せ蓋の表面側または前記正面部の任意の箇所に、装飾部品を取付け可能かつ所定表面積を有する装飾用プレートを適宜の取付け手段にて取付け固定されており、前記装飾部品は、ガラス、アルミ、金属もしくは合成樹脂により形成され、貼着用平面部を有する小さな装飾部品であり、前記装飾用プレートは、ハート形、矩形、円形、または、楕円形のいずれかの形状となっており、かつ、前記装飾用プレートは金属製プレートからなり、かつ、その表面は、前記装飾部品の前記平面部を貼着するための平滑面となっていることを特徴とする装飾可能な鞄類または袋物。
【請求項１７】
前記装飾用プレートは、表面が鏡面加工されている請求項１６に記載の装飾可能な鞄類または袋物。
【請求項１８】
前記装飾用プレートの表面は、前記装飾部品の貼着用平面部に設けられた粘着部に対して良粘着表面となっている請求項１６または１７に記載の装飾可能な鞄類または袋物。
【考案の詳細な説明】
【技術分野】
【０００１】
本考案は、財布、ハンドバッグ、スクールバッグ、ポシェット等の鞄類または袋物の被せ蓋の表面側、鞄類または袋物の正面部、或いは、表面側収納部形成部の表面に、消費者自身が自分の好みの装飾部品を取付け独自の装飾を施すことができる装飾可能な鞄類または袋物に関するものである。
【背景技術】
【０００２】
従来、財布、ハンドバッグ、スクールバッグ、ポシェット等の鞄類または袋物に、装飾部品を取付ける場合、予め装飾部品を所定の基板に取付け作製された装飾具を、装飾具に設けた取付け孔等を使用して、糸で縫い付けたり、固定用金具を用いて鞄類または袋物に取付けるのが一般的である。
それ故、消費者自身がデザインを施した装飾具を用いることはできず、メーカーがデザインし作製した装飾具を取付けた鞄類または袋物の中から、自分の好みの商品を選択せざるを得なかった。しかし、近年携帯電話、手鏡等に見られるように、消費者自身が自分の好みの装飾部品を使用して、独自の装飾を施すことが盛んに行われている。
【０００３】
しかしながら、鞄類または袋物に装飾部品を直接接着剤により取付けたり、装飾部品の裏面に設けた粘着層を取付け対象部に押し付け取付けるもの、または、特開２００６−２９５８５９（特許文献１）にあるように、裏面に設けた両面接着テープによりアクセサリーを取付ける方法等があるが、鞄類または袋物は使い勝手を良くするため柔軟性のある素材で作られ、かつ、汚れが付着しにくく、雨に濡れても水が浸み込まない性質を有する素材が使用され、または、汚れが付着し難い加工や水が浸み込まない撥水加工がされ、さらには、光沢を出すためにエナメル加工等が施された革、合成皮革、ポリエステル、ナイロン等が使用されている。
そのため、鞄類または袋物を使用する際に、被せ蓋の前面側に繰り返し生じる撓みやしなり、収納部内に物を出し入れする際に、鞄類・袋物の正面部に生じる撓みやしなり、また、バッグの正面部または背面部上に形成された表面収納部形成部の中に物を出し入れする際にも、同様にその表面に撓み・しなり・曲げが生じる。
その結果、装飾部品を上記素材で作製された鞄類または袋物、又は素材が上記加工された鞄類または袋物に直接取付け装飾を施しても、装飾部品及び装飾部品の接着部にたえず撓み・しなり・曲げの外力が加わるため、装飾部品が剥がれることがあり、特に大きな装飾部品は剥がれ易く、また、接着剤による接着面・接着部が割れ装飾部品と装飾部品の間にひび割れが入り易く、さらに、装飾部品を取付けた後仕上げにコーティング材を塗布してつや出しする場合、そのコーティング材が剥がれたりひび割れし、装飾を施した部分が見苦しくなるという問題が生じ、鞄類または袋物に消費者自身が自分の好みの装飾部品を購入して独自の装飾を施こすことは困難なことであった。
【０００４】
そこで、革、合成皮革、ポリエステル、ナイロン等の素材に穴を開け、装飾部品を取付け金具を用いて取付けたり、糸で縫い付けたり、或いは、実用新案登録第３０７４８２６号公報（特許文献２）のように、バッグの蓋片の端縁にアクセサリー保持具を差し込んで冠設し、その表側に位置する表素材板にアクセサリーを係止するための取付け孔を穿設し、アクセサリーを掛け止めし、アクセサリーの抜け落ちが起きないようにしたアクセサリー保持具が提案されている。
【０００５】
【特許文献１】特開２００６−２９５８５９公報
【特許文献２】実用新案登録第３０７４８２６号公報
【考案の開示】
【考案が解決しようとする課題】
【０００６】
しかしながら、特許文献１は装飾部品が剥離したり、装飾部品の接着部がひび割れたりする問題点があり、特許文献２のように、バッグの蓋片の端縁にアクセサリー保持具を差し込んで冠設したのでは、元のバッグのデザインが失われ、イメージが変わってしまい、かつ、メーカーのデザインによるアクセサリー保持具の中から選択し使用するものであり、消費者自身が好みの装飾部品を用いて独自の装飾を施すことができない。
【０００７】
本考案は上記の問題点に鑑みて考案されたもので、消費者自身が自分の好みの装飾部品を確実に取着でき、取着した装飾部品に撓み・しなり・曲げの外力が加わらないように装飾用プレートを用い、この装飾用プレートを財布、ハンドバッグ、スクールバッグ、携帯電話ケース、ポシェットまたは小物入れ等の鞄類または袋物の収納部の開口部もしくは開口可能部を覆う被せ蓋の表面側、または、鞄類・袋物の正面部、或いは、表面側収納部形成部の表面の任意の箇所に取付け固定し、この装飾用プレートに自分の好みの装飾部品を取付け、独自の装飾を施こすことができるようにした装飾可能な鞄類または袋物を提供することを目的としている。
【課題を解決するための手段】
【０００８】
上記課題を解決するものは以下のものである。
（１）正面部と背面部と内部に形成された収納部と該収納部の開口部もしくは開口可能部を覆う被せ蓋とを有する鞄類または袋物であって、前記被せ蓋の表面側または前記正面部の任意の箇所に、装飾部品を取付け可能かつ所定表面積を有する装飾用プレートを適宜の取付け手段にて取付け固定した装飾可能な鞄類または袋物。
（２）正面部と背面部と内部に形成された内部側収納部を有し、前記正面部または前記背面部上に形成された表面側収納部形成部とを備える鞄類または袋物であって、前記正面部、前記背面部または表面側収納部形成部の表面の任意の箇所に、装飾部品を取付け可能かつ所定表面積を有する装飾用プレートを適宜の取付け手段にて取付け固定した装飾可能な鞄類または袋物。
（３）前記鞄類または袋物は、財布、ハンドバッグ、スクールバッグ、携帯電話ケース、ポシェットまたは小物入れである前記（１）または（２）に記載の装飾可能な鞄類または袋物。
【０００９】
また、上記課題を解決するものは以下のものである。
（４）前記装飾用プレートは、金属製プレートまたは樹脂製プレートである前記（１）ないし（３）のいずれかに記載の装飾可能な鞄類または袋物。
（５）前記金属製プレートは、鉄製プレート、ステンレス鋼製プレート、表面発色処理ステンレス鋼製プレート、アルミもしくはアルミ合金製プレートまたは金属板の表面メッキ処理プレートである前記（４）に記載の装飾可能な鞄類または袋物。
（６）前記樹脂製プレートは、アクリル樹脂製プレート、ポリカーボネートプレートまたはスチレン系樹脂製プレートである前記（４）に記載の装飾可能な鞄類または袋物。
（７）前記装飾用プレートは、表面が鏡面加工されている前記（１）ないし
（６）のいずれかに記載の装飾可能な鞄類または袋物。
（８）前記装飾用プレートは、ハート形、矩形、円形、または、楕円形のいずれかの形状としたものである前記（１）ないし（７）のいずれかに記載の装飾可能な鞄類または袋物。
（９）前記装飾部品は、ガラス、アルミ、金属もしくは合成樹脂により形成され、貼着用平面部を有する小さな装飾部品であり、前記装飾用プレートの表面は、前記装飾部品の前記平面部を貼着するための平滑面となっている前記（１）ないし（８）のいずれかに記載の装飾可能な鞄類または袋物。
【００１０】
また、上記課題を解決するものは以下のものである。
（１０）前記装飾用プレートは、複数の取付け孔を備え、前記鞄類または袋物は、前記装飾用プレートの取付け位置に、前記装飾用プレートに設けた取付け孔と合致する複数の穿孔を備え、複数の固定用金具が前記装飾用プレートの裏側より前記鞄類または袋物の前記穿孔および前記装飾用プレートの取付け孔を挿通し、前記装飾用プレートに固定されることにより、前記装飾用プレートが固定されているものである前記（１）ないし（９）のいずれかに記載の装飾可能な鞄類または袋物。     
（１１）前記装飾用プレートは、裏面に形成された折り曲げ可能な複数の係止用突片を備え、前記鞄類または袋物は、前記装飾用プレートの取付け位置に、前記装飾用プレートの前記複数の係止用突片が挿通可能な複数の挿通孔を備え、前記装飾用プレートは、前記複数の係止用突片が前記複数の挿通孔を挿通した状態にて折り曲げられることにより固定されているものである（１）ないし（９）のいずれかに記載の装飾可能な鞄類または袋物。  
（１２）前記装飾用プレートは、裏面に形成された折り曲げ可能な複数の係止用突片を備え、前記鞄類または袋物は、前記装飾用プレートの取付け位置に、前記装飾用プレートの前記複数の係止用突片が挿通可能な複数の挿通孔と、前記装飾用プレートの前記係止用突片が挿通可能な複数の挿通孔を有する押さえ板とを備え、前記装飾用プレートは、前記複数の係止用突片が前記鞄類または袋物の前記複数の挿通孔を挿通し、さらに、前記押さえ板の複数の係止用突片が前記複数の挿通孔を挿通した状態にて折り曲げられることにより固定されているものである前記（１）ないし（９）のいずれかに記載の装飾可能な鞄類または袋物。
【００１１】
また、上記課題を解決するものは以下のものである。
（１３）前記装飾部品は、ガラス、アルミ、金属もしくは合成樹脂で作製された星型、花型、ハート型、球型もしくは半球型のものである前記（１）ないし（９）のいずれかに記載の装飾可能な鞄類または袋物。
（１４）前記装飾用プレートの表面は、前記装飾部品の裏面に設けられた粘着層に対して良粘着表面となっている前記（１）ないし（１２）のいずれかに記載の装飾可能な鞄類または袋物。
（１５）前記装飾用プレートの表面は、前記装飾部品の裏面に貼着された両面接着テープに対して良粘着表面となっている前記（１）ないし（１３）のいずれかに記載の装飾可能な鞄類または袋物。
【００１２】
また、上記課題を解決するものは以下のものである。
（１６）正面部と背面部と内部に形成された収納部と該収納部の開口部もしくは開口可能部を覆う被せ蓋とを有する鞄類または袋物であって、前記被せ蓋の表面側または前記正面部の任意の箇所に、装飾部品を取付け可能かつ所定表面積を有する装飾用プレートを適宜の取付け手段にて取付け固定されており、前記装飾部品は、ガラス、アルミ、金属もしくは合成樹脂により形成され、貼着用平面部を有する小さな装飾部品であり、前記装飾用プレートは、ハート形、矩形、円形、または、楕円形のいずれかの形状となっており、かつ、前記装飾用プレートは金属製プレートからなり、かつ、その表面は、前記装飾部品の前記平面部を貼着するための平滑面となっていることを特徴とする装飾可能な鞄類または袋物。
（１７）前記装飾用プレートは、表面が鏡面加工されている前記（１６）に記載の装飾可能な鞄類または袋物。
（１８）前記装飾用プレートの表面は、前記装飾部品の貼着用平面部に設けられた粘着部に対して良粘着表面となっている前記（１６）または（１７）に記載の装飾可能な鞄類または袋物。
【考案の効果】
【００１３】
本考案の財布、ハンドバッグ、スクールバッグ、携帯電話ケース、ポシェットまたは小物入れ等の装飾可能な鞄類または袋物によれば、収納部の開口部もしくは開口可能部を覆う被せ蓋の表面側の任意の箇所、鞄類または袋物の正面部の任意の箇所、或いは、鞄類または袋物の正面部または背面部上に形成された表面側収納部形成部の表面の任意の箇所に、装飾部品を取付けることができる装飾用プレートを、適宜の取付け手段で取付け固定したものであるから、装飾用プレートに消費者自身が好みの装飾部品を取付けすることができ、独自のデザインを施した鞄類または袋物とすることがでる。
また、被せ蓋の開閉に伴い、また、収納部や表面側収納部形成部への物の出し入れに伴い、被せ蓋の表面側、正面部、表面側収納部形成部の表面に、撓み・しなり・曲げ等が生じても、それらの動き・外力を装飾プレートが阻止し、装飾用プレート上に取付けられた装飾部品及び装飾部品の接着部に力が加わることがなく、したがって装飾部品が容易に剥離したり、装飾部品の接着部にひび割れ等が入ることがないので、一般消費者でも耐久性のある独自の装飾を施した鞄類または袋物を作ることができる。
【００１４】
本考案の装飾可能な鞄類または袋物によれば、前記装飾用プレートは、鉄製プレート、ステンレス鋼製プレート、表面発色処理ステンレス鋼製プレート、アルミもしくはアルミ合金製プレートまたは金属板の表面メッキ処理プレート等の金属製プレートとし、または、アクリル樹脂製プレート、ポリカーボネートプレートまたはスチレン系樹脂製プレート等の樹脂製プレートとしたので、そのプレート表面に装飾部品を接着剤等で強固に取付けることができる。
それ故、鞄類または袋物の使用にあたり、被せ蓋の開閉、収納部・表面側収納部形成部への物の出し入れ等に伴い、被せ蓋の正面側、鞄類または袋物の正面部、鞄類または袋物の表面側収納部形成部の表面に、撓み・しなり・曲げが生じても、装飾部品が容易に剥離したり、接着部にひび割れ等が入ることがない。
そして、装飾用プレートの表面を鏡面加工したので、一層装飾部品を装飾用プレートに強固に取付けすることができ、装飾部品の剥離を防ぎ耐久性を持たせることができる。また、装飾用プレートの全面に渡って装飾部品を埋め尽くして取着しなくても、装飾用プレートの表面が鏡面加工してあるので、該プレート正面が露出しても装飾性を損なうことがない。
【００１５】
本考案の装飾可能な鞄類または袋物によれば、前記装飾用プレートは、ハート形、矩形、円形、または、楕円形のいずれかの形状としたので、その装飾用プレートの形状と、装飾用プレートに取着する消費者自身が選択した装飾部品とを組み合わせることにより、消費者自身の好みの装飾を施した鞄類または袋物とすることができる。
また、前記装飾用プレートに取着する前記装飾部品は、ガラス、アルミ、金属もしくは合成樹脂により形成された小さな装飾部品で、その装飾部品を貼着する部分に貼着用平面部が設けられており、一方前記装飾用プレートの表面は、前記装飾部品の前記貼着用平面部を貼着するための平滑面となっているので、装飾用プレートの表面に小さい装飾部品を強固に取着することができる。
【００１６】
本考案の装飾可能な鞄類または袋物によれば、前記装飾用プレートは複数の取付け孔を備え、前記鞄類または袋物の前記装飾用プレートの取付け位置に、前記装飾用プレートに設けた取付け孔と合致する複数の穿孔を備え、複数の固定用金具により前記装飾用プレートの裏側より前記鞄類または袋物の前記穿孔および前記装飾用プレートの取付け孔を挿通し、該装飾用プレートを固定することができる構造としているので、柔軟性のある素材で作られ、かつ、汚れが付着しにくく、雨に濡れても水が浸み込まない性質を有する素材、または、汚れが付着し難い加工や水が浸み込まない撥水加工がされたり、さらには、光沢を出すためにエナメル加工等が施された革、合成皮革、ポリエステル、ナイロン等で作られた鞄類または袋物であっても確実に取付け固定することができる。
【００１７】
本考案の装飾可能な鞄類または袋物によれば、前記装飾用プレートは、裏面に形成された折り曲げ可能な複数の係止用突片が備えられ、該係止用突片を前記鞄類または袋物の装飾用プレートの取付け位置に備えた挿通孔に挿通され、挿通した状態で左右に折り曲げることにより装飾用プレートが固定される構造としているので、取付けが簡単で確実にできる。
また、前記裏面に折り曲げ可能な複数の係止用突片を備えた装飾用プレートと、該係止用突片が挿通可能な複数の挿通孔を有する押さえ板とを使用すると、前記装飾用プレートの係止用突片を前記鞄類または袋物の取付け位置に穿設した挿通孔に挿通し、さらに、押さえ板の挿通孔にも挿通し、挿通した状態で左右に折り曲げることにより、装飾用プレートと押さえ板で、柔軟製がある革、合成皮革、ポリエステル、ナイロン等の素材でできた被せ蓋、正面部、表面側収納部形成部の表面等を狭着した状態で取付け固定するものであるから、可成り柔軟性に富んだ素材から成る鞄類または袋物、または、素材が薄いものにも、確実に取付け固定することができる。
【００１８】
本考案の装飾可能な鞄類または袋物によれば、前記装飾用プレートの表面は、前記装飾部品の裏面に設けられた粘着層に対して良粘着表面となっており、また、前記装飾用プレートの表面は、前記装飾部品の裏面に貼着された両面接着テープに対しても良粘着表面となっているので、装飾用プレートの表面に装飾部品を簡単確実に取着することができる。
【考案を実施するための最良の形態】
【００１９】
本考案の装飾可能な鞄類または袋物について、図面に示す財布とスクールバッグの実施例を用いて説明する。
図１〜図５は本考案の装飾可能な袋物である財布の図であり、図１は、被せ蓋の表面側に矩形の装飾用プレートを取付けた装飾可能な財布の斜視図、図２は、被せ蓋の表面側に長方形の装飾用プレートを取付けた装飾可能な財布の正面図、図３は、被せ蓋の表面側下端に細長い長方形の装飾用プレートを取付けた装飾可能な財布の正面図、図４は同じく被せ蓋の表面側のほぼ中央にハート形の装飾用プレートを取付けた装飾可能な財布の正面図、図５は財布の正面部に楕円形の装飾用プレートを取付けた装飾可能な財布の正面図である。
図６は、表面側収納部形成部の表面に長方形の装飾用プレートを取付けた装飾可能なスクールバッグの斜視図である。
図７は、係止用突片を裏面に備えた装飾用プレートを、押さえ板を用いて取付ける場合の説明図、図８は、係止用突片を裏面に備えた装飾用プレートを、押さえ板を用いて取付けた状態の背面図である。
【００２０】
本考案の装飾可能な財布Ａは、図１に示すように、正面部１と、背面部２と、内部に形成された紙幣・硬貨・カード等を収納する収納部３とを有し、背面部２の上部から延設され収納部３の開口部１１から前面部１を覆う被せ蓋４から構成され、前記被せ蓋４の表面側５のほぼ中央部に矩形の装飾用プレート６が取付け固定され、該装飾用プレート６に様々の形状の装飾部品７を取着できるようになっている。そして、装飾用プレート６を取付けた被せ蓋４は、該被せ蓋４の中央下部に設けたホック８、その他の掛金具により正面部１に着脱でき、財布の開閉ができるようになっている。
図２に示す財布Ｂは横長タイプの財布であり、収納部３の開口部１１から前面部１を覆う被せ蓋４の表面側５の中央下部に、長方形の装飾用プレート６が取付け固定されている。
図３に示す財布Ｃは、同じく横長タイプの財布であり、被せ蓋４の表面側５の下端部に左端から右端に渡って細長い長方形の装飾用プレート６を取付け固定したものである。
図４に示す財布Ｄは、同じく横長タイプの財布であり、被せ蓋４の表面側５のほぼ中央部にハート形の装飾用プレート６を取付け固定したものである。
図５に示す財布Ｅは、被せ蓋４が該財布Ｅの正面部１の開口部１１のみを覆うタイプの財布であり、このタイプの財布においては、被せ蓋４の表面側５ではなく、財布の正面部１の中央部に楕円形の装飾用プレート６を、固定用金具１７により取付け固定したものである。
【００２１】
上記財布Ａ、Ｂ、Ｃ、Ｄ、Ｅに取付け固定された所定表面積を有する装飾用プレート６には、財布を購入した消費者が、好みの丸形、星形、ハート形、及び花形、その他の形状の装飾部品７を別途取り揃え、前記装飾用プレート６の表面に接着剤を用いて取付けたり、装飾部品の裏面に粘着層を設けた装飾部品であれば装飾用プレート６の表面に強く押し付けることにより、また、前記装飾部品７の裏面に両面接着テープを取付けた装飾部品の場合も、前記装飾用プレート６の表面に強く押し付けることにより、前記装飾用プレート６の表面が良粘着表面となっているので、簡単かつ確実に装飾部品を取着することができ、自分の好みの独自のデザインを施すことができるようになっている。
【００２２】
上記装飾プレート６は、該装飾用プレート６の表面に装飾部品７が確実に取付けできる金属製の装飾用プレート、或いは、樹脂製プレートを用いるが、金属製プレートとしては、鉄製プレート、ステンレス鋼製プレート、表面発色処理ステンレス鋼製プレート（カラーステンレス）、アルミもしくはアルミ合金製プレートまたは金属板の表面メッキ処理プレートなどを使用する。また、樹脂製プレートとしては、アクリル樹脂製プレート、ポリカーボネートプレート、またはスチレン系樹脂製プレートなどが使用できる。アクリル樹脂としては、ポリアクリレート（例えば、ポリメチルメタクリレート）、ポリアクリルアミド、アクリロニトリル−スチレン共重合体、アクリロニトリル−ブタジエン−スチレン共重合体等が好適である。また、スチレン系樹脂としては、ポリスチレン、ＭＳ樹脂（メタクリレート−スチレン共重合体）、ＭＢＳ樹脂（メタクリレート−ブチレン−スチレン共重合体）などが好適である。
これらの装飾用プレートは、柔軟性のある素材に取付け固定すると、財布の使用に際し、被せ蓋の前面側、財布の正面部が撓んだり、しなったり、曲げの力が加わっても、装飾用プレート６はほとんど曲がることがないため、装飾用プレート６の表面に取付けた装飾部品及びその取付け部に外力が加わることがないので、装飾部品７が剥がれることがなく、また、装飾部品７の接着部にひび割れが生じることもない。
さらに、これらの所定表面積を有する装飾用プレート６の表面を鏡面加工し、極めて滑らかに作製した装飾用プレート６を使用すると、一層装飾部品７を確実に装飾用プレート６の表面に取付けすることができ、また、装飾部品７を装飾用プレート６の全面に渡って取着し覆い尽くすことなく、該プレートの表面が露出しても鏡面加工になっているので、装飾性を損なうことがない。
【００２３】
上記装飾用プレート６の形状は、ハート形、矩形、円形、または、楕円形のものを用いているが、蝶、鳥等の様々の形状とすることができ、これらの装飾用プレート６を、財布の被せ蓋の表面側５、正面部１の任意の箇所に取付け固定することにより、消費者が考えるデザインに適合した形状の装飾用プレート６を取付け固定した財布を選択し、さらに消費者自身が好みの装飾部品７を使用して、装飾用プレート６に独自の装飾を施すことができるので、一層装飾性の豊かな財布とすることができる。
【００２４】
上記の財布Ａ〜Ｄの素材としては、使い勝手を良くするため柔軟性のある素材が使用され、かつ、汚れが付着しにくく、雨に濡れても水が浸み込まない性質を有する素材が使用され、或いは、汚れが付着し難い加工や水が浸み込まない撥水加工が施され、さらには、光沢を出すためにエナメル加工等が施された革、合成皮革、ポリエステル、ナイロン等を使用している。
したがって、上記装飾用プレート６を接着剤により上記素材から成る鞄類または袋物に取付けたのでは、耐久性に問題が生じるので、上記装飾用プレート６を上記素材に接着剤で取付け固定するのではなく、図５に示す固定用金具１７を用いて取付け固定する。すなわち、前記装飾用プレート６に取付け孔を設け、また、財布の前記装飾用プレートの取付け位置に前記装飾用プレートに設けた取付け孔と合致する複数の穿孔を穿ち、複数の固定用金具１７を前記被せ蓋４の裏側または財布の正面部１の裏側から、前記穿孔に挿通して後、前記装飾用プレートに設けた取付け孔に挿通して取付け固定する。或いは、財布の正面部１の表側から固定用金具を前記装飾用プレートに設けた取付け孔に挿通し、挿通後前記穿孔に挿通し前記被せ蓋４の裏側または財布の正面部１の裏側において取付け固定する。さらに、被せ蓋４の裏側又は財布の正面部の裏側から前記穿孔を挿通してボルトとナット、または、小ネジ等で装飾用プレートを取付けてもよい。
【００２５】
また、装飾用プレート６の別の取付け手段としては、図７に示すように、前記装飾用プレート６の裏面に２つの折り曲げ可能な係止用突片１２を溶接等で固着したものを使用する。装飾用プレート６が図３に示す細長い長方形の装飾用プレート６の場合は、４つの係止突片１２を固着したものを使用する。
そして、財布の前記被せ蓋４の表面側５または財布の正面部１の任意の箇所の前記装飾用プレート６の取付け位置に、前記装飾用プレート６の係止用突片１２を挿通する挿通孔１３を設け、該挿通孔１３に前記装飾用プレート６の係止用突片１２を挿通し、挿通後前記被せ蓋の表面側５の裏側、前記正面部１の裏側において前記係止用突片１２を左右に広げるように折り曲げ前記装飾用プレート６を取付け固定する。
さらに、前記装飾用プレート６の別の取付け手段としては、財布の被せ蓋４の裏側または財布の正面部１の裏側に押し当てる押さえ板１４を用いる。該押さえ板１４は、装飾用プレート６とほぼ同じ形状とし、前記係止用突片１２が挿通できる複数の挿通孔１５が備えられたものを用いる。
そして、前記装飾用プレート６の係止用突片１２を財布の前記被せ蓋４、前記正面部１の任意の箇所の前記装飾用プレート６を取付ける位置に設けられた挿通孔に挿通し、さらに、前記押さえ板１４の挿入孔１５に前記係止用突片１２を挿挿通する。挿入後前記被せ蓋の裏側または前記正面部１の裏側において、図８に示すように、前記係止用突片１２を左右に折り曲げ、前記装飾用プレート６と前記押さえ板１４で前記被せ蓋４または前記正面部１を狭着するようにして前記装飾用プレート６を取付け固定してもよい。     
【００２６】
以上は、装飾用プレート６を取付けた装飾可能な財布について説明したが、次に、図６に示す装飾可能なスクールバッグの実施例について説明する。
３’はスクールバッグの内部側収納部で、内部側収納部３’の上部にチャックで開閉する開口部１１が設けられ、前記内部側収納部３’の正面部１０上または背面部上には表面側収納部形成部９が備えられている。該表面側収納部形成部９の上部入口に沿うように長方形の装飾用プレート６が取付け固定され、該装飾用プレート６に消費者が好みの装飾部品を用いて、独自のデザインを施すことができるようになっている。
装飾用プレート６の取付け位置は、前記表面側収納部形成部９の表面１０だけでなく内部側収納部３’の正面部１、或いは、内部側収納部３’の上部開口部１１付近に取付け固定してもよい。尚、装飾用プレート６の材質、形状、取付け構造は上記の財布の場合と同様である。
【００２７】
上記装飾用プレート６に取付けする装飾部品７は、１ｍｍ〜数十ｍｍの大きさのガラス、アルミ、金属、アクリル樹脂・シリコン樹脂・その他の合成樹脂で作製された星型、花型、ハート型、球型、半球型等のものであり、各装飾部品７の装飾用プレート６への接合部分は、貼着用平面部を有し、前記装飾用プレート６の表面に装飾部品７が貼着し易くなっている。
これらの装飾部品７を前記装飾用プレート６の表面に接着剤により一つ一つ接着したり、または、前記装飾部品７の裏面に粘着層を設けたもの、或いは、裏面に両面接着テープを取付けたものを用いれば、前記装飾用プレート６の表面に押し付けるだけで装飾部品７を取付ける。
一方、装飾用プレート６の表面は平滑面とされ、或いは、前記装飾部品の裏面に設けた粘着層、両面接着テープが接着し易い良粘着表面とされ、装飾部品７を確実に取着することができるようになっている。
【００２８】
上記のように、本考案は財布、ハンドバッグ、スクールバッグ、携帯電話ケース、ポシェットまたは小物入れ等の鞄類または袋物に、様々な形状の装飾用プレートが取付けられているので、消費者がこれらの鞄類または袋物を購入し、自分好みのガラス、アルミ、金属、アクリル樹脂・シリコン樹脂・その他の合成樹脂で作製された星型、花型、ハート型、球型、半球型等の各種形状の装飾部品を取り揃え、該装飾部品の裏面に設けられた粘着層、または、裏面に貼着された両面接着テープにより、装飾用プレートの表面にこれらの装飾部品を強く押し付けることにより、或いは、接着剤を使用して容易にかつ確実に取付けすることができ、独自の装飾を施した鞄類または袋物にすことができる。
【００２９】
そして、前記装飾用プレートは、金属製、合成樹脂製とし、表面を滑らかな鏡面加工としたので、装飾部品を装飾用プレートの表面に確実に取付けることができ、鞄類または袋物の使用する際、被せ蓋の開閉に伴う該被せ蓋の撓み・しなり、収納部・表面側収納部形成部内への物の出し入れ等に伴う収納部の正面部・背面部、及び、表面側収納部形成部の表面の撓み・しなり、曲げが生じても、装飾プレートが撓んだり・しなったり・曲がることはなく、したがってその装飾用プレート上に取付けされた装飾部品及び接着部分に力が加わることがなく、装飾部品が剥がれ落ちたり、また、接着面・接着部にひびが入り装飾部品と装飾部品との間にひび割れが生じ見苦しくなることがない。また、取付けた装飾部品に光沢を持たせるため取付けた装飾部品にコーティング材を塗布しても、コーティング材が剥がれたりひび割れたりすることがなく、耐久性を持たせることができる。
また、前記装飾用プレートは、ハート形、矩形、円形、または、楕円形の形状としたり、蝶、鳥の形状とすることにより、その装飾用プレートの形状と、装飾用プレートに取付けする装飾部品とにより、消費者自身の好みの装飾を施した独自の鞄類または袋物とすることができる。
【００３０】
また、前記装飾用プレートの取付け手段は、鞄類または袋物の柔軟な素材に、固定用金具を用いたり、前記装飾用プレートの裏面に係止用突片を備えたり、さらに、押さえ板を用いて鞄類または袋物に取付け固定する構造としているので、接着剤では確実に取付けることが難しい革、合成皮革、ポリエステル、ナイロン等の素材にも確実に取付けでき、その装飾用プレートに装飾部品を取付けるので、装飾を施した部分は耐久性があり、素人が装飾を施しても簡単に装飾部品が離脱することがない自らデザインした鞄類または袋物を作ることができる。
【図面の簡単な説明】
【００３１】
【図１】図１は、本考案の被せ蓋の表面側に矩形の装飾用プレートを取付けた装飾可能な財布の斜視図である。
【図２】図２は、本考案の被せ蓋の表面側に長方形の装飾用プレートを取付けた装飾可能な財布の正面図である。
【図３】図３は、本考案の被せ蓋の表面側下端に細長い長方形の装飾用プレートを取付けた装飾可能な財布の正面図である。
【図４】図４は、本考案の被せ蓋の表面側のほぼ中央にハート形の装飾用プレートを取付けた装飾可能な財布の正面図である。
【図５】図５は、本考案の財布の正面部に楕円形の装飾用プレートを取付けた装飾可能な財布の正面図である。
【図６】図６は、本考案の表面側収納部形成部の表面に長方形の装飾用プレートを取付けた装飾可能なスクールバッグの斜視図である。
【図７】図７は、押さえ板を用いて装飾用プレートを取付ける場合の説明図である。
【図８】図８は、押さえ板を用いて装飾用プレートを取付けた状態の背面図である。
【符号の説明】
【００３２】
Ａ  長方形の装飾用プレートを取付けた装飾可能な財布
Ｂ  細長い長方形の装飾用プレートを取付けた装飾可能な財布
Ｃ  ハート形の装飾用プレートを取付けた装飾可能な財布
Ｄ  表面側収納部形成部を備えたスクールバッグ
１  正面部
２  背面部
３  収納部
３’  内部側収納部
４  被せ蓋
５  被せ蓋の表面側
６  装飾用プレート
７  装飾部品
９  表面側収納部形成部
１０  表面側収納部形成部の表面
１２  係止用突片
１３  挿通孔
１４  押さえ板
１５  挿通孔
１７  固定用金具
【図１】
0003146379.tif 000003
【図２】
0003146379.tif 000004
【図３】
0003146379.tif 000005
【図４】
0003146379.tif 000006
【図５】
0003146379.tif 000007
【図６】
0003146379.tif 000008
【図７】
0003146379.tif 000009
【図８】
0003146379.tif 000010